(57)【要約】【課題】フレームスタート信号のジッタを減少させる。【解決手段】シンボル同期回路６は、OFDM時間領域信号Ｄ１を用いてFFT演算の開始タイミングを表すFFTスタート信号Ｃ１を生成する。FFT回路５は、FFTスタート信号Ｃ１に応じてOFDM時間領域信号Ｄ１に対してFFT演算を行い、そのFFT演算の結果とともに、FFTスタート信号Ｃ１を遅延させたシンボルスタート信号Ｃ２を出力する。基準信号生成回路３２は、基準信号Ｃ１０を生成する。バッファ３１は、FFTスタート信号Ｃ１の立ち上がり位置と基準信号Ｃ１０の立ち上がり位置の間隔に基づいて、シンボルスタート信号Ｃ２のエッジを等間隔にする。本発明は、例えば、OFDM受信機に適用することができる。【選択図】図６
2010081095.tif 000002
【特許請求の範囲】
【請求項１】
受信されたOFDM信号を用いてFFT演算の開始タイミングを表すFFTスタート信号を生成するFFTスタート信号生成手段と、
前記FFTスタート信号に基づいて前記OFDM信号に対してFFT演算を行い、そのFFT演算の結果とともに、前記FFTスタート信号を遅延させたシンボルスタート信号を出力するFFT演算手段と、
基準信号を生成する基準信号生成手段と、
前記FFTスタート信号のエッジと、前記基準信号のエッジの間隔に基づいて、前記FFT演算手段から出力される前記シンボルスタート信号のエッジを等間隔にする制御手段と
を備える受信装置。
【請求項２】
前記基準信号生成手段は、前記OFDM信号の遅延プロファイルに基づいて前記基準信号を生成する
請求項１に記載の受信装置。
【請求項３】
前記基準信号生成手段は、前記遅延プロファイルの重心を検出し、その重心をエッジ位置とする前記基準信号を生成する。
請求項２に記載の受信装置。
【請求項４】
前記基準信号生成手段は、前記遅延プロファイルにおける前記OFDM信号の主波の位置を検出し、その位置をエッジ位置とする前記基準信号を生成する
請求項２に記載の受信装置。
【請求項５】
前記基準信号生成手段は、前記OFDM信号と、そのOFDM信号を有効シンボル長だけ遅延させたOFDM信号の相関値を用いて、前記基準信号を生成する
請求項１に記載の受信装置。
【請求項６】
前記基準信号生成手段は、前記相関値の移動平均値の重心を検出し、その重心をエッジ位置とする前記基準信号を生成する
請求項５に記載の受信装置。
【請求項７】
受信装置が、
受信されたOFDM信号を用いてFFT演算の開始タイミングを表すFFTスタート信号を生成するFFTスタート信号生成ステップと、
前記FFTスタート信号に基づいて前記OFDM信号に対してFFT演算を行い、そのFFT演算の結果とともに、前記FFTスタート信号を遅延させたシンボルスタート信号を出力するFFT演算ステップと、
基準信号を生成する基準信号生成ステップと、
前記FFTスタート信号のエッジと、前記基準信号のエッジの間隔に基づいて、前記FFT演算ステップにより出力される前記シンボルスタート信号のエッジを等間隔にする制御ステップと
を含む受信方法。
【請求項８】
受信されたOFDM信号を用いてFFT演算の開始タイミングを表すFFTスタート信号を生成するFFTスタート信号生成手段と、
前記FFTスタート信号に基づいて前記OFDM信号に対してFFT演算を行い、そのFFT演算の結果とともに、前記FFTスタート信号を遅延させたシンボルスタート信号を出力するFFT演算手段と、
基準信号を生成する基準信号生成手段と、
前記FFTスタート信号のエッジと、前記基準信号のエッジの間隔に基づいて、前記FFT演算手段から出力される前記シンボルスタート信号のエッジを等間隔にする制御手段と
を備える受信装置として、コンピュータを機能させるためのプログラム。
【発明の詳細な説明】
【技術分野】
【０００１】
本発明は、受信装置、受信方法、およびプログラムに関し、特に、フレームスタート信号のジッタを減少させることができるようにした受信装置、受信方法、およびプログラムに関する。
【背景技術】
【０００２】
地上デジタル放送の変調方式として、直交周波数分割多重方式（OFDM(Orthogonal Frequency Division Multiplexing)方式）と呼ばれる変調方式が用いられている。OFDM方式は、伝送帯域内に多数の直交するサブキャリアを設け、それぞれのサブキャリアの振幅および位相にデータを割り当て、PSK(Phase Shift Keying)やQAM(Quadrature Amplitude Modulation)によりデジタル変調する方式である。
【０００３】
OFDM方式は、多数のサブキャリアで伝送帯域全体を分割するため、サブキャリア１波あたりの帯域は狭くなり、伝送速度は遅くなるが、トータルの伝送速度は従来の変調方式と変わらないという特徴を有している。また、OFDM方式は、後述するガードインターバルを設けることでマルチパス耐性を向上させることができるという特徴を有している。
【０００４】
さらに、OFDM方式においては、複数のサブキャリアに対してデータの割り当てが行なわれることから、変調は、逆フーリエ変換を行うIFFT(Inverse Fast Fourier Transform)演算によって行うことができる。また、変調の結果得られるOFDM信号の復調は、フーリエ変換を行うFFT(Fast Fourier Transform)演算によって行うことができる。
【０００５】
従って、OFDM信号を送信する送信装置は、IFFT演算を行う回路を用いて構成することができ、OFDM信号を受信する受信装置は、FFT演算を行う回路を用いて構成することができる（例えば、特許文献１参照）。
【０００６】
以上のような特徴から、OFDM方式は、マルチパス妨害の影響を強く受ける地上デジタル放送に適用されることが多い。OFDM方式を採用した地上デジタル放送の規格としては、例えば、DVB-T(Digital Video Broadcasting-Terrestrial)やISDB-T(Integrated Services Digital Broadcasting-Terrestrial)、ISDB-TSBといった規格がある。
【０００７】
図１は、OFDMシンボルを示す図である。
【０００８】
OFDM方式においては、信号の伝送はOFDMシンボルと呼ばれる単位で行われる。図１に示すように、１OFDMシンボルは、送信時にIFFTが行われる信号区間である有効シンボルと、有効シンボルの後半の一部分の波形がコピーされたガードインターバル（以下、GIという）とから構成される。GIは、時間軸上で有効シンボルの前の位置に挿入される。OFDM方式では、GIを挿入することにより、マルチパス環境下において発生するOFDMシンボル間の干渉を防ぐことが可能になる。
【０００９】
なお、OFDMシンボルの有効シンボルの長さ、すなわち、GIを含まない長さである有効シンボル長がTu［秒］であり、サブキャリアどうしの間隔がFc［Hz］であるとすると、式Fc＝１／Tuの関係が成り立つ。
【００１０】
また、OFDM方式では、このようなOFDMシンボルが複数集められて１つのOFDM伝送フレームが形成される。例えば、ISDB-T規格においては、２０４のOFDMシンボルから１つのOFDM伝送フレームが形成される。このOFDM伝送フレームの単位を基準として、パイロット信号の挿入位置が定められている。
【００１１】
ところで、各サブキャリアに対する変調方式としてQAM系の変調方式を用いるOFDM方式においては、伝送時にマルチパス等の影響を受けることにより、サブキャリア毎に、振幅および位相が送信時のものと受信時のものとで異なるものになってしまう。そのため、受信側では、受信信号の振幅および位相が送信されたものと等しくなるように信号の等化を行う必要がある。
【００１２】
そこで、OFDM方式では、送信側で、所定の振幅および所定の位相のパイロット信号を伝送シンボル内に離散的に挿入しておき、受信側で、パイロット信号の振幅および位相に基づいて伝送路の周波数特性を求め、受信信号を等化するようにしている。
【００１３】
このように、伝送路特性を算出するために用いられるパイロット信号のことをスキャッタードパイロット信号（以下、SP信号）という。図２に、DVB-T規格やISDB-T規格で採用されているSP信号のOFDMシンボル内での配置パターンを示す。図２においては、縦方向が時間方向となり、横方向が周波数方向となる。
【００１４】
図３は、従来のOFDM受信機の構成例を示すブロック図である。
【００１５】
チューナ２は、受信アンテナ１において受信されたRF信号をIF信号に周波数変換し、IF信号をA/D変換回路３に出力する。A/D変換回路３は、チューナ２から供給されたIF信号に対してA/D変換を施し、デジタルのIF信号を直交復調回路４に出力する。直交復調回路４は、A/D変換回路３から供給されたデジタルのIF信号を直交復調することによってベースバンドのOFDM信号を取得し、出力する。このベースバンドのOFDM信号は、FFT演算が行われる前の時間領域の信号である。
【００１６】
以下、FFT演算が行われる前のベースバンドのOFDM信号をOFDM時間領域信号Ｄ１という。OFDM時間領域信号Ｄ１は、直交復調された結果、実軸成分（Ｉチャンネル信号）と虚軸成分（Ｑチャンネル信号）を含んだ複素信号となる。直交復調回路４から出力されたOFDM時間領域信号Ｄ１は、FFT回路５およびシンボル同期回路６に供給される。
【００１７】
FFT回路５は、シンボル同期回路６から供給されたFFTスタート信号Ｃ１に基づいて、１つのOFDMシンボルのOFDM時間領域信号Ｄ１から有効シンボル長の範囲の信号を抜き出す。また、FFT回路５は、抜き出したOFDM時間領域信号Ｄ１に対してFFT演算を行うことによって、各サブキャリアに直交変調されているデータを抽出する。
【００１８】
FFT演算の開始位置は、OFDMシンボルの境界である図１の位置Ａから、GIと有効シンボルの境界位置である位置Ｂまでの間のいずれかの位置となる。FFT演算範囲はFFT区間と呼ばれ、このFFT区間の開始位置が、シンボル同期回路６から供給されるFFTスタート信号Ｃ１により指定される。
【００１９】
FFT回路５は、抽出したデータを表すOFDM信号を出力する。このOFDM信号は、FFT演算が行われた後の周波数領域の信号である。以下、FFT演算が行われた後のOFDM信号をOFDM周波数領域信号Ｄ２という。また、FFT回路５は、FFTスタート信号Ｃ１をFFT演算の回路遅延分だけ遅延させ、その結果得られるOFDM周波数領域信号Ｄ２に同期する信号をシンボルスタート信号Ｃ２として出力する。OFDM周波数領域信号Ｄ２とシンボルスタート信号Ｃ２は、SP抽出回路７、除算回路１１、およびフレーム同期回路１２に供給される。
【００２０】
シンボル同期回路６は、直交復調回路４から供給されたOFDM時間領域信号Ｄ１を用いてGI期間の相関値を検出し、その相関値に基づいてFFTスタート信号Ｃ１を生成し、出力する。なお、シンボル同期回路６は、図示せぬ遅延プロファイル推定回路により推定される伝送路の遅延プロファイルに基づいてFFT区間を決定し、FFTスタート信号Ｃ１を生成するようにしてもよい。
【００２１】
SP抽出回路７は、シンボルスタート信号Ｃ２に基づいて、OFDM周波数領域信号Ｄ２からSP信号を抽出し、SP信号の変調成分を除去することによって、SP信号に対する伝送路特性を推定する。SP抽出回路７は、推定した伝送路特性を表す伝送路特性データを、シンボルスタート信号とともに出力する。
【００２２】
時間方向伝送路推定回路８は、SP抽出回路７から供給された伝送路特性データとシンボルスタート信号に基づいて、SP信号が配置されているサブキャリアの時間方向に並ぶ各OFDMシンボルに対する伝送路特性を推定する。例えば、時間方向伝送路推定回路８は、SP抽出回路７により推定された図２のSP信号SP1に対する伝送路特性と、SP信号SP2に対する伝送路特性を用いて、図２の領域Ａ1内の他のシンボルに対する伝送路特性を推定する。
【００２３】
SP信号は３サブキャリア毎に挿入されるから、時間方向伝送路推定回路８においては３サブキャリア毎の伝送路特性が推定される。時間方向伝送路推定回路８は、推定した３サブキャリア毎の伝送路特性を表すデータとシンボルスタート信号を出力する。
【００２４】
周波数補間回路９は、時間方向伝送路推定回路８から供給された３サブキャリア毎の伝送路特性を表すデータとシンボルスタート信号に基づいて、周波数方向の伝送路特性を補間する処理である周波数補間処理を行い、３サブキャリア毎の伝送路特性から、周波数方向の各OFDMシンボルに対するサブキャリアの伝送路特性を推定する。
【００２５】
周波数補間処理は、３サブキャリア毎の伝送路特性を表すデータを３倍アップサンプリングしたものに対して低域通過フィルタをかけることによって実現される。周波数補間回路９には複数の低域通過フィルタが補間フィルタとして与えられており、周波数補間処理に用いる補間フィルタが周波数補間フィルタ選択回路１０から供給されたフィルタ選択信号により指定される。例えば、周波数補間回路９は、図２の領域Ａ2に含まれるOFDMシンボルの位置のうち、伝送路特性の推定がまだ行われていないOFDMシンボルに対する伝送路特性を推定する。この結果、全サブキャリアの伝送路特性が推定される。周波数補間回路９は、全サブキャリアの伝送路特性の推定結果を表すデータを出力する。
【００２６】
除算回路１１は、周波数補間回路９から供給された全サブキャリアの伝送路特性の推定結果を表すデータに基づいて、OFDM周波数領域信号Ｄ２に含まれる歪みを補正する。除算回路１１は、歪みを補正したOFDM周波数領域信号Ｄ４と、シンボルスタート信号Ｃ２を除算回路１１の補正の回路遅延分だけ遅延させたシンボルスタート信号Ｃ４とを出力する。
【００２７】
フレーム同期回路１２は、FFT回路５から供給されたOFDM周波数領域信号Ｄ２とシンボルスタート信号Ｃ２とを用いて、フレームスタート信号Ｃ３を生成する。例えば、フレーム同期回路１２は、シンボルスタート信号Ｃ２が２０４回立ち上がるごとに、フレームスタート信号Ｃ３を１回立ち上げる。フレーム同期回路１２は、フレームスタート信号Ｃ３を誤り訂正回路１３に供給する。
【００２８】
誤り訂正回路１３は、除算回路１１から供給されたシンボルスタート信号Ｃ４に基づいて、送信側でインタリーブされているOFDM周波数領域信号Ｄ４に対してデインタリーブ処理を施し、さらに、デンパンクチャ、ビタビ復号、拡散信号除去、RS復号などの処理を施す。誤り訂正回路１３は、各種の処理を施すことによって得られた復号データＤ５を出力バッファ１４に供給する。また、誤り訂正回路１３は、フレーム同期回路１２から供給されたフレームスタート信号Ｃ３を、誤り訂正回路１３の各種の処理の回路遅延分だけ遅延させたフレームスタート信号Ｃ５を出力バッファ１４に供給する。
【００２９】
出力バッファ１４は、誤り訂正回路１３から供給された復号データＤ５を記憶する。また、出力バッファ１４は、誤り訂正回路１３から供給されたフレームスタート信号Ｃ５の立ち上がりの間隔に基づくタイミングで、記憶されている復号データＤ５をＴＳ（Transport Stream）データＤ６として出力する。従って、フレームスタート信号Ｃ５の立ち上がりの間隔のぶれは、ＴＳデータＤ６のぶれとなる。ＴＳデータＤ６のぶれは、一般的に、PCR（Program Clock Reference）ジッタとして計測される。
【００３０】
図４は、周波数補間回路９の構成例を示すブロック図である。
【００３１】
図４に示すように、周波数補間回路９は、周波数補間フィルタ回路９ａ0乃至９ａN-1、およびセレクタ回路９ｂから構成される。時間方向伝送路推定回路８から出力された３サブキャリア毎の伝送路特性を表すデータとシンボルスタート信号は周波数補間フィルタ回路９ａ0乃至９ａN-1に入力される。周波数補間フィルタ選択回路１０から出力されたフィルタ選択信号はセレクタ回路９ｂに入力される。
【００３２】
周波数補間フィルタ回路９ａ0乃至９ａN-1は、それぞれ、シンボルスタート信号に基づいて、与えられている補間フィルタを用いて３サブキャリア毎の伝送路特性を表すデータに対して周波数補間処理を施し、周波数補間処理の結果を表すデータをセレクタ回路９ｂに出力する。
【００３３】
図４の例においては、周波数補間フィルタ回路９ａ0はフィルタ帯域BW０の補間フィルタを用いて補間処理を行う回路とされ、周波数補間フィルタ回路９ａ1はフィルタ帯域BW１の補間フィルタを用いて補間処理を行う回路とされている。周波数補間フィルタ回路９ａN-1はフィルタ帯域BW（Ｎ-１）の補間フィルタを用いて補間処理を行う回路とされている。
【００３４】
セレクタ回路９ｂは、周波数補間フィルタ回路９ａ0乃至９ａN-1から供給されたデータのうち、フィルタ選択信号により指定される補間フィルタを用いて周波数補間処理を行うことによって得られたデータを選択する。セレクタ回路９ｂにより選択されたデータは、全サブキャリアの伝送路特性の推定結果を表すデータとして除算回路１１に出力される。
【００３５】
【特許文献１】特開２００２−３４４４１１号公報
【発明の開示】
【発明が解決しようとする課題】
【００３６】
ところで、FFTスタート信号Ｃ１は、最大でGI長の時間方向のジッタを持つ可能性がある。また、図３に示したように、従来のOFDM受信機では、FFTスタート信号Ｃ１からシンボルスタート信号Ｃ２が生成され、シンボルスタート信号Ｃ２からフレームスタート信号Ｃ３が生成される。そして、フレームスタート信号Ｃ３が遅延されたものが、フレームスタート信号Ｃ５である。また、シンボルスタート信号Ｃ２が遅延されたものが、シンボルスタート信号Ｃ４である。
【００３７】
従って、FFTスタート信号Ｃ１がGI長のジッタを持つ場合、図５に示すように、シンボルスタート信号Ｃ２およびＣ４、並びに、フレームスタート信号Ｃ３およびＣ５もGI長のジッタを有することになる。即ち、FFTスタート信号Ｃ１のジッタが、そのまま、フレームスタート信号Ｃ５のジッタとなる。その結果、GI長をTgとし、有効シンボル長をTuとしたとき、フレームスタート信号Ｃ５の立ち上がりの間隔は204×（Tu+Tg）±Tgの範囲で変化する。これにより、ＴＳデータＤ６のPCRジッタは劣化する。
【００３８】
本発明は、このような状況に鑑みてなされたものであり、フレームスタート信号のジッタを減少させることができるようにするものである。
【課題を解決するための手段】
【００３９】
本発明の一側面は、受信されたOFDM信号を用いてFFT演算の開始タイミングを表すFFTスタート信号を生成するFFTスタート信号生成手段と、前記FFTスタート信号に基づいて前記OFDM信号に対してFFT演算を行い、そのFFT演算の結果とともに、前記FFTスタート信号を遅延させたシンボルスタート信号を出力するFFT演算手段と、基準信号を生成する基準信号生成手段と、前記FFTスタート信号のエッジと、前記基準信号のエッジの間隔に基づいて、前記FFT演算手段から出力される前記シンボルスタート信号のエッジを等間隔にする制御手段とを備える受信装置である。
【００４０】
本発明の一側面は、受信装置が、受信されたOFDM信号を用いてFFT演算の開始タイミングを表すFFTスタート信号を生成するFFTスタート信号生成ステップと、前記FFTスタート信号に基づいて前記OFDM信号に対してFFT演算を行い、そのFFT演算の結果とともに、前記FFTスタート信号を遅延させたシンボルスタート信号を出力するFFT演算ステップと、基準信号を生成する基準信号生成ステップと、前記FFTスタート信号のエッジと、前記基準信号のエッジの間隔に基づいて、前記FFT演算ステップにより出力される前記シンボルスタート信号のエッジを等間隔にする制御ステップとを含む受信方法である。
【００４１】
本発明の一側面は、受信されたOFDM信号を用いてFFT演算の開始タイミングを表すFFTスタート信号を生成するFFTスタート信号生成手段と、前記FFTスタート信号に基づいて前記OFDM信号に対してFFT演算を行い、そのFFT演算の結果とともに、前記FFTスタート信号を遅延させたシンボルスタート信号を出力するFFT演算手段と、基準信号を生成する基準信号生成手段と、前記FFTスタート信号のエッジと、前記基準信号のエッジの間隔に基づいて、前記FFT演算手段から出力される前記シンボルスタート信号のエッジを等間隔にする制御手段とを備える受信装置として、コンピュータを機能させるためのプログラムである。
【００４２】
本発明の一側面においては、受信されたOFDM信号を用いてFFT演算の開始タイミングを表すFFTスタート信号が生成され、FFTスタート信号に基づいてOFDM信号に対してFFT演算が行われ、そのFFT演算の結果とともに、FFTスタート信号を遅延させたシンボルスタート信号が出力され、基準信号が生成され、FFTスタート信号のエッジと、基準信号のエッジの間隔に基づいて、シンボルスタート信号のエッジが等間隔にされる。
【発明の効果】
【００４３】
以上のように、本発明の一側面によれば、フレームスタート信号のジッタを減少させることができる。
【発明を実施するための最良の形態】
【００４４】
＜１．第１の実施の形態＞
［受信機の構成例］
図６は、本発明を適用した受信機の第１の実施の形態の構成例を示すブロック図である。
【００４５】
図６に示す構成のうち、図３の構成と同じ構成には同じ符号を付してある。重複する説明については適宜省略する。
【００４６】
図６の受信機３０の構成は、主に、バッファ３１と基準信号生成回路３２が設けられている点が図３の構成と異なる。
【００４７】
詳細には、受信機３０においては、バッファ３１がFFT回路５と除算回路１１の間に設けられる。バッファ３１は、FFT回路５から出力されたシンボルスタート信号Ｃ２に基づいて、OFDM周波数領域信号Ｄ２を記憶する。
【００４８】
また、バッファ３１は、基準信号生成回路３２から供給される基準信号Ｃ１０と、FFT回路５からのシンボルスタート信号Ｃ２とに基づいて、記憶しているOFDM周波数領域信号Ｄ２の読み出しを開始する。バッファ３１は、読み出されたOFDM周波数領域信号Ｄ２をOFDM周波数領域信号Ｄ１１として、SP抽出回路７、除算回路１１、およびフレーム同期回路１２に供給する。
【００４９】
さらに、バッファ３１は、シンボルスタート信号Ｃ２を遅延させ、OFDM周波数領域信号Ｄ１１に同期するシンボルスタート信号Ｃ１１として、SP抽出回路７、除算回路１１、およびフレーム同期回路１２に供給する。
【００５０】
基準信号生成回路３２は、カウンタなどにより構成され、シンボル期間（GI期間Ｔｇと有効シンボル期間Ｔｕとの和）ごとに立ち上がる、ジッタを持たない信号を基準信号として生成する。基準信号生成回路３２は、その基準信号をバッファ３１に供給する。
【００５１】
除算回路１１は、図３の場合と同様に、周波数補間回路９から供給された全サブキャリアの伝送路特性の推定結果を表すデータに基づいて、OFDM周波数領域信号Ｄ１１に含まれる歪みを補正する。また、除算回路１１は、図３の場合と同様に、歪みを補正したOFDM周波数領域信号Ｄ１３と、シンボルスタート信号Ｃ１１を除算回路１１の補正の回路遅延分だけ遅延させたシンボルスタート信号Ｃ１３とを出力する。
【００５２】
フレーム同期回路１２は、図３の場合と同様に、バッファ３１から供給されたOFDM周波数領域信号Ｄ１１とシンボルスタート信号Ｃ１１とを用いて、フレームスタート信号Ｃ１２を生成し、出力する。
【００５３】
誤り訂正回路１３は、図３の場合と同様に、シンボルスタート信号Ｃ１３に基づいて、送信側でインタリーブされているOFDM周波数領域信号Ｄ１３に対してデインタリーブ処理を施し、さらに、デンパンクチャ、ビタビ復号、拡散信号除去、RS復号などの処理を施す。誤り訂正回路１３は、各種の処理を施すことによって得られた復号データＤ１４を出力バッファ１４に供給する。
【００５４】
また、誤り訂正回路１３は、図３の場合と同様に、フレーム同期回路１２から供給されたフレームスタート信号Ｃ１２を、誤り訂正回路１３の各種の処理の回路遅延分だけ遅延させたフレームスタート信号Ｃ１４を出力バッファ１４に供給する。
【００５５】
出力バッファ１４は、図３の場合と同様に、誤り訂正回路１３から供給された復号データＤ１４を記憶する。また、出力バッファ１４は、図３の場合と同様に、誤り訂正回路１３から供給されたフレームスタート信号Ｃ１４の立ち上がりの間隔に基づくタイミングで、記憶されている復号データＤ１４をＴＳデータＤ１５として出力する。
【００５６】
［受信機における各信号のタイミング例］
図７は、図６の受信機３０における各信号のタイミングチャートである。
【００５７】
図７に示すように、FFTスタート信号Ｃ１は、OFDM時間領域信号Ｄ１のGI期間Ｔｇのいずれかの時刻で立ち上がる。従って、FFTスタート信号Ｃ１は、最大でGI期間Ｔｇのジッタを持つ可能性がある。
【００５８】
また、FFT回路５の演算遅延を無視すると、図７に示すように、１シンボル分のOFDM周波数領域信号Ｄ２は、FFTスタート信号Ｃ１の立ち上がり時刻から有効シンボル期間Ｔｕ後にバッファ３１に出力される。なお、このとき、バッファ３１に出力されるシンボルスタート信号Ｃ２は立ち上がる。
【００５９】
そして、バッファ３１は、FFT回路５から供給された１シンボル分のOFDM周波数領域信号Ｄ２を書き込む。但し、受信機３０の動作クロックは、受信信号のクロックに比べて早いものとする。従って、１シンボル分のOFDM周波数領域信号Ｄ２の書き込み時間Ｔｗは、１シンボル期間より十分に短い。
【００６０】
さらに、バッファ３１は、FFTスタート信号Ｃ１のジッタ期間を基準信号に基づいて検出する。具体的には、バッファ３１は、シンボルスタート信号Ｃ２からシンボル期間Ｔｕ遅延前のFFTスタート信号Ｃ１を認識する。
【００６１】
そして、バッファ３１は、各シンボルのFFTスタート信号Ｃ１の立ち上がりの時刻から、直近の基準信号の立ち上がりの時刻までの時間を、各シンボルのジッタ期間Δとして検出する。図７の例では、１乃至３シンボル目のジッタ期間Δを、それぞれジッタ期間Δ１乃至Δ３と表している。
【００６２】
バッファ３１は、１シンボル分のOFDM周波数領域信号Ｄ２の書き込みを終了してから、そのシンボルのジッタ期間Δと予め定められたオフセット期間とを加算した時間経過後に、記憶しているOFDM周波数領域信号Ｄ２のOFDM周波数領域信号Ｄ１１としての読み出しを開始する。
【００６３】
なお、オフセット期間は、ジッタ期間Δが負の値である場合、即ち、基準信号Ｃ１０の立ち上がり時刻がFFTスタート信号Ｃ１の立ち上がり時刻よりも早い場合に、OFDM周波数領域信号Ｄ２の書き込み終了前に読み出しが開始されることを防止するために設けられる。従って、オフセット期間としては、ジッタ期間Δとしてとり得る最大値以上の値が設定される。
【００６４】
また、バッファ３１は、シンボルスタート信号Ｃ２を遅延させ、OFDM周波数領域信号Ｄ１１の読み出しを開始するときに立ち上がるシンボルスタート信号Ｃ１１を出力する。
【００６５】
以上のように、バッファ３１は、各シンボルのジッタ期間Δを検出し、そのシンボル分のOFDM周波数領域信号Ｄ２が書き込まれた後、オフセット期間とジッタ期間Δとを加算した時間経過後に、シンボルスタート信号Ｃ１１を立ち上がらせる。これにより、シンボルスタート信号Ｃ１１の立ち上がり間隔は、常に、１シンボル期間（GI期間Ｔｇと有効シンボル期間Ｔｕの和）となる。
【００６６】
バッファ３１から出力されたシンボルスタート信号Ｃ１１は、図７に示すように、除算回路１１の補正の回路遅延分だけ遅延された後、シンボルスタート信号Ｃ１３として除算回路１１から出力される。また、フレーム同期回路１２は、バッファ３１から出力されたシンボルスタート信号Ｃ１１が２０４回立ち上がるごとに１回立ち上がるフレームスタート信号Ｃ１２を生成し、誤り訂正回路１３に出力する。
【００６７】
さらに、フレームスタート信号Ｃ１２は、図７に示すように、誤り訂正回路１３の各種の処理の回路遅延分だけ遅延され、フレームスタート信号Ｃ１４として出力バッファ１４に出力される。
【００６８】
上述したように、受信機３０では、シンボルスタート信号Ｃ１１の立ち上がり間隔が、１シンボル期間となるので、そのシンボルスタート信号Ｃ１１から最終的に生成されるフレームスタート信号Ｃ１４の立ち上がりの間隔は、204×(Tu+Tg)となる。このように、受信機３０では、フレームスタート信号Ｃ１４がジッタを持たないので、ＴＳデータＤ１５のPCRジッタを低減することができる。
【００６９】
［受信機の動作］
次に、以上のような構成を有する受信機３０の動作について説明する。
【００７０】
はじめに、図８のフローチャートを参照して、受信機３０のOFDM復調処理について説明する。
【００７１】
各ステップの処理は、番号順に行われるだけでなく、適宜、他のステップの処理と並行して、または前後して行われる。
【００７２】
ステップＳ１において、チューナ２は、受信アンテナ１において受信されるRF信号に対して周波数変換を行い、IF信号を出力する。
【００７３】
ステップＳ２において、A/D変換回路３は、チューナ２から供給されるIF信号に対してA/D変換を行い、デジタルのIF信号を出力する。
【００７４】
ステップＳ３において、直交復調回路４は、A/D変換回路３から供給されるデジタルのIF信号に対して直交復調を行い、OFDM時間領域信号Ｄ１を出力する。
【００７５】
ステップＳ４において、シンボル同期回路６は、直交復調回路４から供給されたOFDM時間領域信号Ｄ１を用いてFFTスタート信号Ｃ１を生成し、出力する。
【００７６】
ステップＳ５において、FFT回路５は、シンボル同期回路６から供給されるFFTスタート信号Ｃ１にしたがって、OFDM時間領域信号Ｄ１に対してFFT演算を行い、OFDM周波数領域信号Ｄ２を出力する。また、FFT回路５は、シンボル同期回路６から供給されるFFTスタート信号Ｃ１をFFT回路５のFFT演算の回路遅延分だけ遅延させ、シンボルスタート信号Ｃ２として出力する。
【００７７】
ステップＳ６において、バッファ３１は、FFT回路５から供給されるOFDM周波数領域信号Ｄ２を記憶する。また、バッファ３１は、FFT回路５から供給されるシンボルスタート信号Ｃ２を遅延させる。
【００７８】
ステップＳ７において、バッファ３１は、シンボルスタート信号Ｃ２と基準信号生成回路３２からの基準信号Ｃ１０に基づいて、記憶しているOFDM周波数領域信号Ｄ２を読み出して出力するとともに、シンボルスタート信号を出力する。
【００７９】
具体的には、バッファ３１は、シンボルスタート信号Ｃ２の遅延前のFFTスタート信号Ｃ１と基準信号Ｃ１０から、各シンボルのジッタ期間Δ（図７）を検出する。そして、バッファ３１は、ステップＳ６で各シンボル分のOFDM周波数領域信号Ｄ２が記憶された後、検出されたジッタ期間Δとオフセット期間を加算した時間経過後に、そのシンボルのOFDM周波数領域信号Ｄ２の読み出しおよび出力を開始する。また、バッファ３１は、このときに立ち上がるように遅延されていたシンボルスタート信号Ｃ２を、シンボルスタート信号Ｃ１１として出力する。
【００８０】
ステップＳ８において、SP抽出回路７は、シンボルスタート信号Ｃ１１に基づいて、OFDM周波数領域信号Ｄ１１からSP信号を抽出し、SP信号に対するサブキャリアの伝送路特性を推定する。
【００８１】
ステップＳ９において、時間方向伝送路推定回路８は、SP抽出回路７により推定された伝送路特性データとシンボルスタート信号に基づいて、３サブキャリア毎の時間方向の伝送路特性を推定し、推定した３サブキャリア毎の伝送路特性を表すデータとシンボルスタート信号を出力する。
【００８２】
ステップＳ１０において、周波数補間フィルタ選択回路１０はフィルタ帯域を選択する。周波数補間フィルタ選択回路１０は、選択したフィルタ帯域を指定するフィルタ選択信号を周波数補間回路９に出力する。
【００８３】
ステップＳ１１において、周波数補間回路９は周波数補間処理を行い、時間方向伝送路推定回路８からの３サブキャリア毎の伝送路特性を表すデータから、周波数方向の各OFDMシンボルに対するサブキャリアの伝送路特性を推定し、推定結果を表すデータを出力する。周波数補間処理の結果を表す複数のデータの中からどのデータを伝送路特性の推定結果を表すデータとして出力するのかは、周波数補間フィルタ選択回路１０から供給されたフィルタ選択信号に基づいて選択される。
【００８４】
ステップＳ１２において、除算回路１１は、周波数補間回路９から供給された全サブキャリアの伝送路特性の推定結果を表すデータに基づいて、バッファ３１から供給されるOFDM周波数領域信号Ｄ１１に含まれる歪みを補正する。除算回路１１は、歪みを補正したOFDM周波数領域信号Ｄ１３と、バッファ３１からのシンボルスタート信号Ｃ１１を除算回路１１の補正の回路遅延分だけ遅延させたシンボルスタート信号Ｃ４とを、誤り訂正回路１３に出力する。
【００８５】
ステップＳ１３において、フレーム同期回路１２は、バッファ３１から供給されるOFDM周波数領域信号Ｄ１１とシンボルスタート信号Ｃ１１とを用いて、フレームスタート信号Ｃ１２を生成する。フレーム同期回路１２は、フレームスタート信号Ｃ１２を誤り訂正回路１３に供給する。
【００８６】
ステップＳ１４において、誤り訂正回路１３は、除算回路１１から供給されるシンボルスタート信号Ｃ１３に基づいて、歪みが補正されたOFDM周波数領域信号Ｄ１３に対してデインタリーブ処理を施す。さらに、誤り訂正回路１３は、OFDM周波数領域信号Ｄ１３に対してデンパンクチャ、ビタビ復号、拡散信号除去、RS復号などの処理を施し、その結果得られる復号データＤ１４を出力バッファ１４に出力する。
【００８７】
また、誤り訂正回路１３は、フレーム同期回路１２から供給されるフレームスタート信号Ｃ１２を、誤り訂正回路１３の各種の処理の回路遅延分だけ遅延させ、フレームスタート信号Ｃ１４として出力バッファ１４に出力する。
【００８８】
ステップＳ１５において、出力バッファ１４は、誤り訂正回路１３から供給される復号データＤ１４を記憶し、フレームスタート信号Ｃ１４の立ち上がりの間隔に基づくタイミングで、記憶されている復号データＤ１４をＴＳデータＤ１５として出力する。
【００８９】
以上の処理が、信号の受信を行っている間、受信機３０により繰り返される。
【００９０】
次に、図９のフローチャートを参照して、基準信号生成回路３２の基準信号生成処理について説明する。
【００９１】
ステップＳ３１において、基準信号生成回路３２は、シンボル期間ごとに立ち上がる、ジッタを持たない信号を基準信号Ｃ１０として生成する。この基準信号Ｃ１０はバッファ３１に出力され、図８のステップＳ７でバッファ３１により用いられる。
【００９２】
図９の処理は、信号の受信を行っている間行われる。
【００９３】
なお、上述した受信機３０では、基準信号が受信信号とは独立して生成されたが、送受信機の配置が固定されており、伝送路に変化がない場合には、以下のようにして受信信号に基づいて基準信号を生成することができる。
【００９４】
＜２．第２の実施の形態＞
[受信機の構成例]
図１０は、本発明を適用した受信機の第２の実施の形態の構成例を示すブロック図である。
【００９５】
図１０に示す構成のうち、図６の構成と同じ構成には同じ符号を付してある。重複する説明については適宜省略する。
【００９６】
図１０の受信機５０の構成は、主に、遅延プロファイル推定器５１が設けられている点、および、基準信号生成回路３２の代わりに基準信号生成回路５２が設けられている点が図６の構成と異なる。
【００９７】
詳細には、受信機５０においては、バッファ３１の後段に遅延プロファイル推定器５１が設けられる。遅延プロファイル推定器５１には、バッファ３１から出力されたOFDM周波数領域信号Ｄ１１とシンボルスタート信号Ｃ１１が供給される。
【００９８】
遅延プロファイル推定器５１は、伝送路の時間応答特性を求めることによって伝送路の遅延プロファイルを推定する。例えば、遅延プロファイル推定器５１は、OFDM周波数領域信号Ｄ１１とシンボルスタート信号Ｃ１１を用いて、SP抽出回路７および時間方向伝送路推定回路８と同様の処理により求められた伝送路特性にIFFTを施す。
【００９９】
そして、遅延プロファイル推定器５１は、その結果に閾値処理を施して遅延プロファイルを推定する。具体的には、閾値以下の値が求められた部分はノイズ成分と見なされ、閾値を越えた値が求められた部分はパスが存在すると判断される。
【０１００】
遅延プロファイル推定器５１により推定された遅延プロファイルは、基準信号生成回路５２に供給される。遅延プロファイルは、シンボル同期回路６に供給されてFFTスタート信号Ｃ１の生成に用いられたり、周波数補間フィルタ選択回路１０に供給されて周波数補間フィルタ選択に用いられたりしてもよい。
【０１０１】
基準信号生成回路５２は、遅延プロファイル推定器５１から供給された遅延プロファイルに基づいて、シンボル期間ごとに立ち上がる、ジッタを持たない信号を基準信号Ｃ３０として生成する。基準信号生成回路５２は、その基準信号Ｃ３０をバッファ３１に供給する。なお、基準信号生成回路５２の詳細については、後述する図１１を参照して説明する。
【０１０２】
バッファ３１は、図６の場合と同様に、FFT回路５から出力されたシンボルスタート信号Ｃ２に基づいて、OFDM周波数領域信号Ｄ２を記憶する。
【０１０３】
また、バッファ３１は、図６の場合と同様に、基準信号生成回路５２から供給される基準信号Ｃ３０と、FFT回路５からのシンボルスタート信号Ｃ２とに基づいて、記憶しているOFDM周波数領域信号Ｄ２の読み出しを開始する。バッファ３１は、読み出されたOFDM周波数領域信号Ｄ２をOFDM周波数領域信号Ｄ１１として、SP抽出回路７、除算回路１１、フレーム同期回路１２、および遅延プロファイル推定器５１に供給する。
【０１０４】
さらに、バッファ３１は、シンボルスタート信号Ｃ２を遅延させ、OFDM周波数領域信号Ｄ１１に同期するシンボルスタート信号Ｃ１１として、SP抽出回路７、除算回路１１、フレーム同期回路１２、および遅延プロファイル推定器５１に供給する。
【０１０５】
［基準信号生成回路の詳細構成例］
図１１は、図１０の基準信号生成回路５２の詳細構成例を示すブロック図である。
【０１０６】
図１１において、基準信号生成回路５２は、重心探索回路６１により構成される。重心探索回路６１は、遅延プロファイル推定器５１から供給される遅延プロファイルに基づいて、以下の式（１）を用いることにより、各シンボルの遅延プロファイルの重心位置を検出する。
【０１０７】
【数１】
2010081095.tif 000003
【０１０８】
式（１）によれば、各シンボルの遅延プロファイルの重心位置は、各シンボルの全パスのパスパワーとパス到来時刻の乗算値の加算値を、各シンボルの全パスのパスパワーの加算値で除算することにより得られる。
【０１０９】
そして、基準信号生成回路５２は、重心位置を立ち上がり位置とする信号を基準信号Ｃ３０として生成し、バッファ３１に出力する。
【０１１０】
図１２は、基準信号生成回路５２により求められる重心位置の例を示す図である。
【０１１１】
ここでは、主波と遅延波の２つのパスがある場合について説明する。図１２の横軸は時間を表し、縦軸はパスのパワーを表している。
【０１１２】
図１２に示すように、主波のパスパワーは遅延波に比べて大きいので、主波の到来時刻と遅延波の到来時刻の間の中央より主波よりの時刻が、重心位置として求められる。
【０１１３】
［受信機における各信号のタイミング例］
図１３は、受信機５０における各信号のタイミングチャートである。
【０１１４】
図１３において、基準信号Ｃ３０のタイミング以外については、図７の場合と同様であるため、説明は適宜省略する。
【０１１５】
基準信号Ｃ３０は、各シンボルの遅延プロファイルの重心位置を立ち上がり位置とする信号であり、伝送路は固定されているので、図１３に示すように、基準信号Ｃ３０は、１シンボル期間ごとに立ち上がるジッタを持たない信号である。従って、受信機５０は、図６の受信機３０と同様に基準信号を用いることにより、フレームスタート信号Ｃ１４にジッタを持たせず、ＴＳデータＤ１５のPCRジッタを低減することができる。
【０１１６】
［受信機の動作］
次に、以上のような構成を有する受信機５０の動作について説明する。
【０１１７】
但し、受信機５０のOFDM復調処理は、図８で説明したOFDM復調処理と同様であるので説明は省略し、ここでは、図１４のフローチャートを参照して、受信機５０の基準信号生成処理についてのみ説明する。この基準信号生成処理は、バッファ３１からOFDM周波数領域信号Ｄ１１とシンボルスタート信号Ｃ１１が出力されたときに開始される。
【０１１８】
図１４のステップＳ５０において、遅延プロファイル推定器５１は、OFDM周波数領域信号Ｄ１１とシンボルスタート信号Ｃ１１を用いて遅延プロファイルを推定する。
【０１１９】
ステップＳ５１において、基準信号生成回路５２の重心探索回路６１は、遅延プロファイル推定器５１により推定される遅延プロファイルの重心位置を検出する。
【０１２０】
ステップＳ５２において、重心探索回路６１は、ステップＳ５１で求められた重心位置を立ち上がり位置とする信号を基準信号として生成し、出力する。
【０１２１】
なお、上述した説明では、基準信号生成回路５２が、遅延プロファイルから重心位置を検出したが、遅延プロファイルから検出するものは、シンボル期間ごとに検出されるものであればどのようなものであってもよい。例えば、基準信号生成回路５２は、遅延プロファイルにおける主波の位置を検出し、その主波の位置を立ち上がり位置とする信号を基準信号として生成するようにしてもよい。
【０１２２】
＜３．第３の実施の形態＞
[受信機の構成例]
図１５は、本発明を適用した受信機の第３の実施の形態の構成例を示すブロック図である。
【０１２３】
図１５に示す構成のうち、図６の構成と同じ構成には同じ符号を付してある。重複する説明については適宜省略する。
【０１２４】
図１５の受信機８０の構成は、主に、基準信号生成回路３２の代わりに基準信号生成回路８１が設けられている点が図６の構成と異なる。
【０１２５】
詳細には、直交復調回路４の後段に基準信号生成回路８１が設けられる。基準信号生成回路８１には、直交復調回路４から出力されたOFDM時間領域信号Ｄ１が供給される。基準信号生成回路８１は、OFDM時間領域信号Ｄ１を用いて遅延シンボルに対する重心位置を検出する。
【０１２６】
そして、基準信号生成回路８１は、その重心位置を立ち上がり位置とすることにより、シンボル期間ごとに立ち上がる、ジッタを持たない信号を基準信号Ｃ５０として生成し、バッファ３１に供給する。なお、基準信号生成回路８１の詳細については、後述する図１６を参照して説明する。
【０１２７】
バッファ３１は、図６の場合と同様に、FFT回路５から出力されたシンボルスタート信号Ｃ２に基づいて、OFDM周波数領域信号Ｄ２を記憶する。
【０１２８】
また、バッファ３１は、図６の場合と同様に、基準信号生成回路８１から供給される基準信号Ｃ５０と、FFT回路５からのシンボルスタート信号Ｃ２とに基づいて、記憶しているOFDM周波数領域信号Ｄ２の読み出しを開始する。バッファ３１は、図６の場合と同様に、読み出されたOFDM周波数領域信号Ｄ２をOFDM周波数領域信号Ｄ１１として、SP抽出回路７、除算回路１１、およびフレーム同期回路１２に供給する。
【０１２９】
さらに、バッファ３１は、図６の場合と同様に、シンボルスタート信号Ｃ２を遅延させ、OFDM周波数領域信号Ｄ１１に同期するシンボルスタート信号Ｃ１１として、SP抽出回路７、除算回路１１、およびフレーム同期回路１２に供給する。
【０１３０】
その結果、受信機８０は、図６の受信機３０と同様に、フレームスタート信号Ｃ１４にジッタを持たせず、ＴＳデータＤ１５のPCRジッタを低減することができる。
【０１３１】
［基準信号生成回路の詳細構成例］
図１６は、図１５の基準信号生成回路８１の詳細構成例を示すブロック図である。
【０１３２】
図１６に示すように、基準信号生成回路８１は、有効シンボル長遅延回路９１、相関検出回路９２、GI長移動平均回路９３、および重心探索回路９４により構成される。
【０１３３】
有効シンボル長遅延回路９１は、直交復調回路４から出力されたOFDM時間領域信号Ｄ１を有効シンボル期間Ｔｕだけ遅延させ、遅延信号として相関検出回路９２に供給する。相関検出回路９２は、直交復調回路４から出力されたOFDM時間領域信号Ｄ１と、有効シンボル長遅延回路９１から供給された遅延信号との相関値を検出し、GI長移動平均回路９３に供給する。
【０１３４】
GI長移動平均回路９３は、相関検出回路９２から供給された相関値のGI期間Ｔｇ単位の移動平均値を求め、その移動平均値を重心探索回路９４に供給する。重心探索回路９４は、GI長移動平均回路９３から供給された各シンボルの移動平均値について、式（１）と同様の式により重心位置を求める。これにより、遅延シンボルに対する重心位置を求めることができる。重心探索回路９４は、算出された重心位置を立ち上がり位置とする信号を基準信号Ｃ５０として生成し、バッファ３１へ出力する。
【０１３５】
以上のように、基準信号生成回路８１は、ガード相関により重心位置を算出するので、受信機８０では遅延プロファイルを推定する必要がない。
【０１３６】
次に、図１７と図１８を参照して、基準信号生成回路８１により求められる重心位置について説明する。
【０１３７】
まず、図１７を参照して、主波と遅延波の２つのパスがあり、遅延波の遅延時間がGI期間Ｔｇである場合について説明する。
【０１３８】
図１７に示すように、遅延信号は、OFDM時間領域信号Ｄ１に対してGI期間Ｔｇだけ遅延されているので、遅延信号のGI期間Ｔｇの相関値は大きくなる。また、図１７の例では、遅延波の遅延時間がGI期間Ｔｇであるので、主波と遅延波のGI期間Ｔｇは連続している。従って、図１７に示すように、主波の遅延信号のGI期間Ｔｇの開始位置から２倍のGI期間Ｔｇの間、相関値が大きくなる。
【０１３９】
これにより、図１７に示すように、主波の遅延信号のGI期間Ｔｇの開始位置から３倍のGI期間Ｔｇ後までの移動平均値は、主波の遅延信号のGI期間Ｔｇの開始位置から1.5倍のGI期間Ｔｇ後の時刻Ｔｃを中心として対称となる。その結果、重心位置は時刻Ｔｃとなる。
【０１４０】
次に、図１８を参照して、主波と遅延波の２つのパスがあり、遅延波の遅延時間がGI期間ＴｇよりＴｍだけ長い時間である場合について説明する。
【０１４１】
図１７で説明したように、遅延信号は、OFDM時間領域信号Ｄ１に対してGI期間Ｔｇだけ遅延されているので、遅延信号のGI期間Ｔｇの相関値は大きくなる。また、図１８の例では、遅延波の遅延時間がＴｇ＋Ｔｍであるので、主波と遅延波のGI期間Ｔｇは、Ｔｍだけ離れている。従って、図１８に示すように、相関値は、主波の遅延信号のGI期間Ｔｇの開始位置からGI期間Ｔｇの間大きくなった後、Ｔｍの間小さくなり、再びGI期間Ｔｇの間大きくなる。
【０１４２】
これにより、図１８の例では、主波の遅延信号のGI期間Ｔｇの開始位置から３Ｔｇ＋Ｔｍ後までの移動平均値が、主波の遅延信号のGI期間Ｔｇの開始位置から遅延時間Ｔｇ＋Ｔｍ後より遅い時刻Ｔｃ´を中心として対称となる。その結果、重心位置は時刻Ｔｃ´となる。
【０１４３】
以上のように、基準信号生成回路８１では、重心位置がシンボルごとに求められ、その重心位置は伝送路に応じて変化するものである。受信機８０では、伝送路は固定であるため、各シンボルの重心位置は変化せず、重心位置の間隔は１シンボル期間となる。その結果、基準信号Ｃ５０は、１シンボル期間ごとに立ち上がるジッタを持たない信号となる。
【０１４４】
［受信機の動作］
次に、以上のような構成を有する受信機８０の動作について説明する。
【０１４５】
但し、受信機８０のOFDM復調処理は、図８で説明したOFDM復調処理と同様であるので説明は省略し、ここでは、図１９のフローチャートを参照して、基準信号生成回路８１の基準信号生成処理についてのみ説明する。この基準信号生成処理は、直交復調回路４からOFDM時間領域信号Ｄ１が出力されたときに開始される。
【０１４６】
図１９のステップＳ７１において、基準信号生成回路８１の有効シンボル長遅延回路９１は、直交復調回路４から出力されるOFDM時間領域信号Ｄ１を有効シンボル期間Ｔｕだけ遅延させ、遅延信号として相関検出回路９２に供給する。
【０１４７】
ステップＳ７２において、相関検出回路９２は、直交復調回路４から出力されるOFDM時間領域信号Ｄ１と、有効シンボル長遅延回路９１から供給される遅延信号の相関値を検出し、GI長移動平均回路９３に供給する。
【０１４８】
ステップＳ７３において、GI長移動平均回路９３は、相関検出回路９２から供給される相関値のGI期間Ｔｇ単位の移動平均値を求め、その移動平均値を重心探索回路９４に供給する。
【０１４９】
ステップＳ７４において、重心探索回路９４は、GI長移動平均回路９３から供給される移動平均値について、式（１）と同様の式により重心位置を検出する。
【０１５０】
ステップＳ７５において、重心探索回路９４は、ステップＳ７４で検出された重心位置を立ち上がり位置とする信号を基準信号Ｃ５０として生成し、バッファ３１へ出力する。
【０１５１】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または汎用のパーソナルコンピュータなどに、プログラム記録媒体からインストールされる。
【０１５２】
図２０は、上述した一連の処理をプログラムにより実行するコンピュータのハードウエアの構成例を示すブロック図である。
【０１５３】
CPU(Central Processing Unit)１０１、ROM(Read Only Memory)１０２、RAM(Random Access Memory)１０３は、バス１０４により相互に接続されている。バス１０４には、さらに、入出力インタフェース１０５が接続されている。入出力インタフェース１０５には、キーボード、マウスなどよりなる入力部１０６、ディスプレイ、スピーカなどよりなる出力部１０７が接続される。また、バス１０４には、ハードディスクや不揮発性のメモリなどよりなる記憶部１０８、ネットワークインタフェースなどよりなる通信部１０９、リムーバブルメディア１１１を駆動するドライブ１１０が接続される。
【０１５４】
以上のように構成されるコンピュータでは、CPU１０１が、例えば、記憶部１０８に記憶されているプログラムを入出力インタフェース１０５及びバス１０４を介してRAM１０３にロードして実行することにより、上述した一連の処理が行われる。
【０１５５】
CPU１０１が実行するプログラムは、例えばリムーバブルメディア１１１に記録して、あるいは、ローカルエリアネットワーク、インターネット、デジタル放送といった、有線または無線の伝送媒体を介して提供され、記憶部１０８にインストールされる。
【０１５６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５７】
本発明の実施の形態は、上述した実施の形態に限定されるものではなく、本発明の要旨を逸脱しない範囲において種々の変更が可能である。
【図面の簡単な説明】
【０１５８】
【図１】OFDMシンボルを示す図である。
【図２】SP信号の配置の例を示す図である。
【図３】従来のOFDM受信機の構成例を示すブロック図である。
【図４】図３の周波数補間回路の構成例を示すブロック図である。
【図５】図３のOFDM受信機における各信号のタイミングチャートである。
【図６】本発明を適用した受信機の第１の実施の形態の構成例を示す図である。
【図７】図６の受信機における各信号のタイミングチャートである。
【図８】受信機のOFDM復調処理について説明するフローチャートである。
【図９】基準信号生成処理について説明するフローチャートである。
【図１０】本発明を適用した受信機の第２の実施の形態の構成例を示す図である。
【図１１】図１０の基準信号生成回路の詳細構成例を示すブロック図である。
【図１２】基準信号生成回路により求められる重心位置の例を示す図である。
【図１３】受信機における各信号のタイミングチャートである。
【図１４】基準信号生成処理について説明するフローチャートである。
【図１５】本発明を適用した受信機の第３の実施の形態の構成例を示す図である。
【図１６】図１５の基準信号生成回路の詳細構成例を示すブロック図である。
【図１７】重心位置の例について説明する。
【図１８】重心位置の他の例について説明する。
【図１９】基準信号生成処理について説明するフローチャートである。
【図２０】コンピュータのハードウエアの構成例を示すブロック図である。
【符号の説明】
【０１５９】
５  FFT回路,  ６  シンボル同期回路,  ３０  受信機,  ３１  バッファ,  ３２  基準信号生成回路,  ５０  受信機,  ５２  基準信号生成回路,  ８０  受信機,  ８１  基準信号生成回路
【図１】
2010081095.tif 000004
【図２】
2010081095.tif 000005
【図３】
2010081095.tif 000006
【図４】
2010081095.tif 000007
【図５】
2010081095.tif 000008
【図６】
2010081095.tif 000009
【図７】
2010081095.tif 000010
【図８】
2010081095.tif 000011
【図９】
2010081095.tif 000012
【図１０】
2010081095.tif 000013
【図１１】
2010081095.tif 000014
【図１２】
2010081095.tif 000015
【図１３】
2010081095.tif 000016
【図１４】
2010081095.tif 000017
【図１５】
2010081095.tif 000018
【図１６】
2010081095.tif 000019
【図１７】
2010081095.tif 000020
【図１８】
2010081095.tif 000021
【図１９】
2010081095.tif 000022
【図２０】
2010081095.tif 000023